(57)【要約】【課題】利便性を向上できる製氷容器を提供する。【解決手段】製氷用の水を溜める本体部２と、本体部２内を仕切って氷を区分けする格子状の仕切壁１０ａを有した仕切部材１０と、仕切部材１０を上昇させて本体部２から離す上昇手段とを備え、該上昇手段は本体部２の端部に軸支したレバー部材５の回動により仕切部材１０を押し上げるてこ機構から成る。【選択図】図１１
2007163081.tif 000002
【特許請求の範囲】
【請求項１】
製氷用の水を溜める本体部と、前記本体部内を仕切って氷を区分けする格子状の仕切壁を有した仕切部材と、前記仕切部材を上昇させて前記本体部から離す上昇手段とを備えたことを特徴とする製氷容器
【請求項２】
前記上昇手段は前記本体部の端部に軸支したレバー部材の回動により前記仕切部材を押し上げるてこ機構から成ることを特徴とする請求項１に記載の製氷容器。
【請求項３】
前記仕切壁は下部の厚みが上部の厚みよりも大きいことを特徴とする請求項１または請求項２に記載の製氷容器。
【請求項４】
前記仕切部材が可撓性部材から成ることを特徴とする請求項１〜請求項３のいずれかに記載の製氷容器。
【請求項５】
前記本体部は、水を溜める内容器と、前記内容器の外側を覆う外容器と、前記内容器と前記外容器との間に封入される蓄冷剤とを有することを特徴とする請求項１〜請求項４のいずれかに記載の製氷容器。
【発明の詳細な説明】
【技術分野】
【０００１】
本発明は、製氷用の製氷容器に関する。
【背景技術】
【０００２】
従来の製氷容器は特許文献１、２に開示されている。この製氷容器は製氷用の水を溜める内容器の外側を外容器で覆い、内容器と外容器との間に蓄冷剤が封入されている。これらの製氷容器は蓄冷剤によって熱容量が増加し、蓄冷剤に蓄えられた冷熱により水が冷却されるため製氷時間を短縮することができる。
【特許文献１】実開昭６０−２５８７６号公報（第３図）
【特許文献２】実開昭６１−７１８７６号公報（第２図）
【発明の開示】
【発明が解決しようとする課題】
【０００３】
蓄冷剤を凍結させると製氷容器に給水した際に融解し、融解熱によって迅速な製氷を行うことができる。しかしながら、上記従来の製氷容器によると、蓄冷剤が凍結すると製氷容器を捩るために大きな力を必要とする。このため、離氷が困難になり、製氷容器の利便性が悪い問題があった。
【０００４】
本発明は、利便性を向上できる製氷容器を提供することを目的とする。
【課題を解決するための手段】
【０００５】
上記目的を達成するために本発明は、製氷用の水を溜める本体部と、前記本体部内を仕切って氷を区分けする格子状の仕切壁を有した仕切部材と、前記仕切部材を上昇させて前記本体部から離す上昇手段とを備えたことを特徴としている。
【０００６】
この構成によると、格子状の仕切部材が設置された本体部内に給水して製氷が行われる。水が凍結すると仕切部材により仕切られた複数の氷が形成される。上昇手段を操作すると仕切部材が氷とともに上昇し、本体部から引き離される。そして、仕切部材を捩ることにより氷が離氷される。
【０００７】
また本発明は、上記構成の製氷容器において、前記上昇手段は前記本体部の端部に軸支したレバー部材の回動により前記仕切部材を押し上げるてこ機構から成ることを特徴としている。この構成によると、本体部の端部に軸支されるレバー部材を有し、例えば、レバー部材の一端を押下すると他端が仕切部材に当接して仕切部材が押し上げられる。
【０００８】
また本発明は、上記構成の製氷容器において、前記仕切壁は下部の厚みが上部の厚みよりも大きいことを特徴としている。この構成によると、仕切部材の上昇によって仕切壁の下部が氷を上昇させる。仕切壁は壁面を傾斜面にしてもよく、壁面に段差を設けてもよい。
【０００９】
また本発明は、上記構成の製氷容器において、前記仕切部材が可撓性部材から成ることを特徴としている。
【００１０】
また本発明は、上記構成の製氷容器において、前記本体部は、水を溜める内容器と、前記内容器の外側を覆う外容器と、前記内容器と前記外容器との間に封入される蓄冷剤とを有することを特徴としている。この構成によると、内容器内の水は蓄冷剤から放出される冷熱により冷却される。また、凍結した蓄冷剤が給水により溶解した際に融解熱により水が冷却される。
【発明の効果】
【００１１】
本発明によると、本体部内を仕切る格子状の仕切壁を有した仕切部材と、仕切部材を上昇させて本体部から離す上昇手段とを備えたので、氷を仕切部材とともに簡単に本体部から取り出し、仕切部材を捩って小さい力で離氷することができる。従って、製氷容器の利便性が向上する。
【００１２】
また本発明によると、上昇手段は本体部の端部に軸支したレバー部材の回動により仕切部材を押し上げるてこ機構から成るので、上昇手段を容易に実現することができる。
【００１３】
また本発明によると、仕切壁は下部の厚みが上部の厚みよりも大きいので、氷を本体部から確実に離すことができる。
【００１４】
また本発明によると、仕切部材が可撓性部材から成るので、仕切部材を簡単に捩って氷を離氷することができる。
【００１５】
また本発明によると、本体部は内容器と外容器との間に蓄冷剤を封入して成るので、蓄冷剤の凍結により捩ることが困難な本体部から簡単に氷及び仕切部材を取り出すことができる。取りだした仕切部材は捩って簡単に氷を離氷することができる。従って、蓄冷剤を有した製氷容器の利便性が向上する。
【発明を実施するための最良の形態】
【００１６】
以下に本発明の実施形態を図面を参照して説明する。図１、図２は一実施形態の製氷容器を示す上面図及び正面図である。製氷容器１は冷蔵庫の冷凍室や製氷室等の庫内に配され、氷点以下に維持される。製氷容器１は製氷用の水が供給される本体部２と、本体部２内に設置される仕切部材１０とを備えている。
【００１７】
本体部２は容器部３、枠部４及びレバー部材５を有している。内部に水を溜める容器部３は上面を開口し、上面側の周部に枠部４が取り付けられる。枠部４の一端にはレバー部材５が回動自在に支持される。
【００１８】
図３は容器部３を示す正面断面図である。容器部３は水を溜める内容器６の外側が外容器７で覆われる。内容器６及び外容器７は金属のプレス成形品や樹脂成形品から成っている。内容器６と外容器７とは上面の周部が接合部３ａにより接合され、内容器６と外容器７との間に蓄冷剤８が封入されている。蓄冷剤８は吸水性の高分子ポリマー等から成り、融点が製氷時の温度よりも高くなっている。これにより、製氷時に蓄冷剤８が凍結する。
【００１９】
図４、図５は枠部４を示す上面図及び正面図である。枠部４は樹脂成形品から成り、中央部に開口部４ｃを設けた環状の環状部４ｂが容器部３の上面に配される。環状部４ｂに設けられる係合部４ａが容器部３の接合部３ａに係合して枠部４が容器部３に取り付けられている。枠部４の一端には容器部３が填められる支持部４ｅが設けられる。支持部４ｅの側壁には孔部４ｄが設けられる。
【００２０】
図６、図７はレバー部材５を示す上面図及び正面断面図である。レバー部材５は樹脂成形品から成り、両側壁５ｅから内側に突出する軸部５ａが設けられている。軸部５ａが枠部４の孔部４ｄに嵌合してレバー部材５が回動自在に支持されている。レバー部材５の一端は開放され、両側壁５ｅの上端から軸部５ａの軸方向に延びるアーム部５ｄが設けられる。両アーム部５ｄの先端には上方に延びる押圧部５ｂが設けられる。レバー部材５の他端には両側壁５ｅ間に橋架される操作部５ｃが設けられる。
【００２１】
図８、図９、図１０は仕切部材１０を示す上面図、正面図及び側面断面図である。仕切部材１０は可撓性の樹脂成形品から成り、本体部２に供給される水を仕切って凍結した氷を区分けする仕切壁１０ａを備えている。仕切壁１０ａは格子状に形成され、製氷容器１の中央を長手方向に延びる１本の中央部１０ｃと、中央部１０ｃの両側面から垂直に延びて並設される複数の垂直部１０ｄとを有している。これにより、仕切部材１０は容易に弾性変形することができる。
【００２２】
仕切壁１０ａの長手方向の両端部には、仕切壁１０ａよりも上方に配されて上面が遮蔽された当接部１０ｂが設けられる。尚、仕切壁１０ａの側面は傾斜面から成り、下部の厚みｄ１が上部の厚みｄ２よりも大きくなっている。
【００２３】
上記構成の製氷容器１において、氷点以下に維持される庫内に配された製氷容器１は本体部２の内容器６内に給水される。庫内の冷気及び蓄冷剤８から放出される冷熱による冷却によって製氷が行われる。また、蓄冷剤８は製氷後離氷した際に凍結した状態を維持し、次に内容器６に給水した際に融解する。このため、内容器６内の水が融解熱を奪われて迅速に製氷を行うことができる。
【００２４】
製氷が完了すると、仕切部材１０より仕切られたブロック状の氷が形成される。図１１に示すように、使用者によりレバー部材５の操作部５ｃが押下されると、レバー部材５は軸部５ａを中心に回動する。これにより、押圧部５ｂが仕切部材１０の当接部１０ｂを押圧し、仕切部材１０が本体部２から離れて押し上げられる。
【００２５】
この時、操作部５ｃと軸部５ａとの距離が軸部５ａと押圧部５ｂとの距離に対して大きいため、てこの原理によって簡単に仕切部材１０を押し上げることができる。即ち、てこ機構から成るレバー部材５により、仕切部材１０を上昇させて本体部２から離す上昇手段が構成される。操作部５ｃを引き上げた際に仕切部材１０が上昇するようなてこ機構にしてもよい。
【００２６】
本体部２内の氷は仕切部材１０に密着しているため仕切部材１０とともに上昇し、本体部２から取り出される。そして、変形が容易な仕切部材１０を捩って簡単に氷を離氷することができる。尚、仕切部材１０の仕切壁１０ａの側面が傾斜面から成り、下部の厚みｄ１が上部の厚みｄ２よりも大きいため、仕切部材１０の上昇によって氷を確実に上昇させることができる。仕切壁１０ａの側面に段差を設けて下部の厚みｄ１を上部の厚みｄ２よりも大きくしてもよい。
【００２７】
本実施形態によると、内容器６と外容器７との間に蓄冷剤８を封入した本体部２は蓄冷剤８の凍結により捩ることが困難になる。このため、本体部２内を仕切る格子状の仕切壁１０ａを有した仕切部材１０と、仕切部材１０を上昇させて本体部２から離すレバー部材５とを備えたので、氷を仕切部材１０とともに簡単に本体部２から取り出し、仕切部材１０を捩って小さい力で離氷することができる。従って、製氷容器１の利便性が向上する。
【００２８】
尚、蓄冷剤８を封入していない製氷容器であってもよい。この場合も上記と同様に、本体部よりも小さい力で捩ることのできる仕切部材１０を本体部から取出し、仕切部材１０を捩って簡単に氷を離氷することができる。
【産業上の利用可能性】
【００２９】
本発明は、製氷用の製氷容器に利用することができる。
【図面の簡単な説明】
【００３０】
【図１】本発明の実施形態の製氷容器を示す上面図
【図２】本発明の実施形態の製氷容器を示す正面図
【図３】本発明の実施形態の製氷容器の容器部を示す正面断面図
【図４】本発明の実施形態の製氷容器の枠部を示す上面図
【図５】本発明の実施形態の製氷容器の枠部を示す正面図
【図６】本発明の実施形態の製氷容器のレバー部材を示す上面図
【図７】本発明の実施形態の製氷容器のレバー部材を示す正面断面図
【図８】本発明の実施形態の製氷容器の仕切部材示す上面図
【図９】本発明の実施形態の製氷容器の仕切部材を示す正面図
【図１０】本発明の実施形態の製氷容器の仕切部材を示す側面断面図
【図１１】本発明の実施形態の製氷容器の離氷時の動作を示す正面断面図
【符号の説明】
【００３１】
１    製氷容器
２    本体部
３    容器部
４    枠部
５    レバー部材
５ａ  軸部
５ｂ  押圧部
５ｃ  操作部
６    内容器
７    外容器
８    蓄冷剤
１０    仕切部材
１０ａ  仕切壁
１０ｂ  当接部
【図１】
2007163081.tif 000003
【図２】
2007163081.tif 000004
【図３】
2007163081.tif 000005
【図４】
2007163081.tif 000006
【図５】
2007163081.tif 000007
【図６】
2007163081.tif 000008
【図７】
2007163081.tif 000009
【図８】
2007163081.tif 000010
【図９】
2007163081.tif 000011
【図１０】
2007163081.tif 000012
【図１１】
2007163081.tif 000013